(57)【要約】【課題】  行き先駅への経路検索結果から自動的にアラーム時刻が設定されるＩＣチップ内蔵携帯端末を提供する。【解決手段】  携帯電話１は、駅の自動改札機を通過するための非接触ＩＣチップ１０１を内蔵し、経路検索部１０２とアラーム設定部１０３を備える。自動改札機２に携帯電話１をかざして入駅する際、ＩＣチップ１０１に書き込まれた改札時刻と、既に書き込まれている行き先場所情報を基に、前記経路検索部１０２により行き先場所到着時刻を計算し、前記アラーム設定部１０３によりアラーム時刻が設定される。【選択図】  図１
2006262297.tif 000002
【特許請求の範囲】
【請求項１】
ＩＣチップと、
外部の装置より前記ＩＣチップに書き込まれた所定時刻と前記ＩＣチップに予め書き込まれている行き先場所情報を基に経路検索を行い、行き先場所到着時刻を計算する経路検索部と、
前記行き先場所到着時刻にアラーム時刻を設定するアラーム設定部と、
を備えるＩＣチップ内蔵携帯端末。
【請求項２】
請求項１記載のＩＣチップ内蔵携帯端末であって、
前記経路検索部により検索された経路が複数存在する場合、前記行き先場所到着時刻を計算するための経路を選択する方式を設定するアラーム設定方式管理部を更に備え、前記方式は、
（１）前記複数の経路うち自動的に一つの経路を選択し、自動的に選択された経路を基に、前記経路検索部が前記行き先場所到着時刻を計算する自動選択方式と、
（２）前記複数の経路をディスプレイに表示し、ユーザが選択した経路を基に、前記経路検索部が前記行き先場所到着時刻を計算するユーザ選択方式、の少なくとも二つの方式を含む、ＩＣチップ内蔵携帯端末。
【請求項３】
請求項1または２記載のＩＣチップ内蔵携帯端末であって、
前記経路検索部には、経路探索のソフトウェアが組み込まれている、ＩＣチップ内蔵携帯端末。
【請求項４】
請求項1または２記載のＩＣチップ内蔵携帯端末であって、
前記経路検索部は、経路検索アプリケーションがインストール可能に構成されている、ＩＣチップ内蔵携帯端末。
【請求項５】
請求項１ないし４のいずれか１項記載のＩＣチップ内蔵携帯端末であって、
前記ＩＣチップに書き込まれた所定時刻に基づき、携帯端末の時計を整時する整時部を更に備える、ＩＣチップ内蔵携帯端末。
【請求項６】
請求項１ないし５のいずれか１項記載のＩＣチップ内蔵携帯端末であって、
前記ＩＣチップが、非接触ＩＣチップより構成される、ＩＣチップ内蔵携帯端末。
【請求項７】
請求項１ないし６のいずれか１項記載のＩＣチップ内蔵携帯端末より構成される、ＩＣチップ内蔵携帯電話。
【請求項８】
請求項７記載のＩＣチップ内蔵携帯電話であって、
前記ＩＣチップ内蔵携帯電話が、自動改札用ＩＣチップ内蔵携帯電話に適用され、前記外部の装置が自動改札に設置されたリーダライタであり、前記所定時刻が改札時刻である、ＩＣチップ内蔵携帯電話。
【発明の詳細な説明】
【技術分野】
【０００１】
本発明はＩＣチップに書かれた情報を基に、アラーム時刻設定を行うことの可能な、ＩＣチップ内蔵携帯端末に関するものである。
【背景技術】
【０００２】
従来、電車利用者は、電車での居眠りや読書等に備え、行き先駅への到着時刻を予測し、自分で携帯電話の如き携帯端末のアラーム時刻を設定していた。日によって乗車時刻が異なる場合、都度、行き先駅への到着時刻を予測し、アラーム時刻を設定し直すこととなる（特許文献１）。
【０００３】
行き先駅まで、複数の経路が存在する場合は、利用する経路に応じて、自分で行き先駅への到着時刻を予測し、携帯電話のアラーム時刻を設定する。
【０００４】
また、携帯電話の時計を整時する場合は、他の時計から現在の時刻を取得し、自分で携帯電話の時刻を設定する。
【０００５】
【特許文献１】特開平９−６５４３４号公報
【発明の開示】
【発明が解決しようとする課題】
【０００６】
しかしながら、自分で行き先駅への到着時刻を予測し、携帯電話のアラーム時刻を設定しなければならないため、到着時刻の予測間違いや携帯電話の操作ミスにより、アラーム時刻の設定を誤ることがあり、適切な時刻にアラームがならないという問題があった。
【０００７】
また、日によって乗車時刻が異なる場合、都度、行き先駅への到着時刻を予測し、アラーム時刻を設定し直す必要があった。
【０００８】
また、行き先駅まで、複数の経路が存在する場合は、利用する経路に応じて、行き先駅への到着時刻を予測しなければならないため、到着時刻の予測の手間と、携帯電話へのアラーム時刻設定の誤りが発生しやすいという問題があった。
【０００９】
さらに、携帯電話の時計を整時する場合は、他の時計から現在の時刻を取得し、自分で携帯電話の時刻を手動で設定しなければならないため、携帯電話の操作の手間と、携帯電話への時刻設定の誤りが発生しやすいという問題があった。
【００１０】
本発明は、従来の問題を解決するためになされたもので、アラーム時刻を簡易にかつ正確に設定することのできるＩＣチップ内蔵携帯端末を提供することを目的とする。
【課題を解決するための手段】
【００１１】
本発明のＩＣチップ内蔵携帯端末は、ＩＣチップと、外部の装置より、前記ＩＣチップに書き込まれた所定時刻と前記ＩＣチップに予め書き込まれている行き先場所情報を基に経路検索を行い、行き先場所到着時刻を計算する経路検索部と、前記行き先場所到着時刻にアラーム時刻を設定するアラーム設定部と、を備える。
【００１２】
この構成により、自分で行き先駅への到着時刻を予測し、携帯端末のアラーム時刻を手動で設定しなくても、適切な時刻を間違いなく、携帯端末のアラーム時刻に設定することができ、居眠り等による電車の乗り過ごし防止の効果が得られることとなる。
【００１３】
前記経路検索部により検索された経路が複数存在する場合、前記行き先場所到着時刻を計算するための経路を選択する方式を設定するアラーム設定方式管理部を、更に携帯端末に設けることができる。この方式は、（１）前記複数の経路うち自動的に一つの経路を選択し、自動的に選択された経路を基に、前記経路検索部が前記行き先場所到着時刻を計算する自動選択方式と、（２）前記複数の経路をディスプレイに表示し、ユーザが選択した経路を基に、前記経路検索部が前記行き先場所到着時刻を計算するユーザ選択方式、の少なくとも二つを含む。
【００１４】
この構成により、行き先駅まで複数の経路が存在する場合も、利用する経路に応じて、自分で到着時刻を予測し、携帯端末のアラーム時刻を手動で設定しなくても、少なくともディスプレイに表示される複数の経路から特定のものを選択することにより、自動的にアラーム時刻が設定されるため、到着時刻の予測の手間と、携帯端末へのアラーム時刻設定の誤り防止の効果が得られることとなる。
【００１５】
前記経路検索部には、予め経路探索のソフトウェアを組み込むことができる。また、前記経路検索部を、経路検索アプリケーションがインストール可能に構成することもできる。
【００１６】
また、前記ＩＣチップに書き込まれた所定時刻に基づき、携帯端末の時計を整時する整時部を更に設けることができる。
【００１７】
この構成により、携帯端末の時計を整時する必要がある場合、他の時計から現在の時刻を取得し、自分で携帯端末の時刻を手動で設定しなくても、自動改札機を通過し、入駅した際に、ＩＣチップに書き込まれた改札時刻により、自動的に時刻が整時されるため、携帯端末の操作の手間と、携帯端末への時刻設定の誤り防止の効果が得られることとなる。
【００１８】
前記ＩＣチップは、一般的には非接触ＩＣチップより構成される。ＩＣチップ内蔵携帯端末としては、ＩＣチップ内蔵携帯電話がある。また、この携帯電話が、自動改札用ＩＣチップ内蔵携帯電話に適用された場合、前記外部の装置が自動改札に設置されたリーダライタとなり、前記所定時刻が改札時刻となる。
【発明の効果】
【００１９】
本発明のＩＣチップ内蔵携帯端末によれば、自分で行き先駅への到着時刻を予測し、携帯端末のアラーム時刻を手動で設定しなくても、正確な時刻をアラーム時刻として設定することができる。
【発明を実施するための最良の形態】
【００２０】
以下、本発明の実施形態のＩＣチップ内蔵携帯端末について、図面を用いて説明する。図１は、本発明の１の実施形態である、自動改札用ＩＣチップ内蔵携帯電話１のブロック図を示す。
【００２１】
図１において、自動改札用ＩＣチップ内蔵携帯電話１は、非接触ＩＣチップ１０１と、経路検索部１０２と、アラーム設定部１０３と、読み取り部１０５と、アラーム設定方式管理部１０６と、整時部１０７と、液晶装置等から構成されたディスプレイ１０８とを備える。非接触ＩＣチップ１０１には、予め乗車駅や行き先駅等自動改札用データが書き込まれている。
【００２２】
非接触ＩＣチップ１０１には、自動改札機に設置された読取装置（リーダライタ）と情報を送受信するものであり、接触型の機能をも併せ持ついわゆるハイブリッド型、コンビネーション型のものも含み得る。また、いわゆる「無線タグ」、「ＲＦＩＤ（Radio Frequency Identification）」、「電子荷札」と呼ばれるものも含み得るが、本発明ではその詳細な構成は限定されない。一般的に、非接触ＩＣチップ１０１は、アンテナを介して情報を送受信する送受信制御部、読み書き制御部、メモリ及び電源部等が半導体集積回路化されて、チップ上に形成され、構成されている。メモリはフラッシュメモリ等により構成され、一定の書込手順に従って書き込まれた情報を、電源の供給を停止しても保持する不揮発性を有する。尚、小型のＩＣカードも、本明細書でいうＩＣチップ１０１に含まれ得る。
【００２３】
携帯電話１のユーザが、駅の自動改札機２を通過し入駅する際、自動改札機２に携帯電話１をかざすと、ＩＣチップ１０１に改札時刻が書き込まれる。この後、読み取り部１０５が、改札時刻、予め書き込まれている自動改札用データ（乗車駅、行き先駅情報等を含む行き先場所情報）を読み取る。
【００２４】
ＣＰＵ等から構成された制御部１０４は、読み取り部１０５によって読み取られた改札時刻、行き先場所情報を基に、経路検索部１０２に対し、行き先場所到着時刻（行き先駅到着時刻等を含む）を計算させ、さらに、アラーム設定部１０３に、アラーム時刻設定を行わせる。ここで、経路検索部１０２は、制御部１０４から受け取った乗車駅や行き先駅、改札時刻等の情報を基に、駅経路検索を実行する。アラーム設定部１０３は、制御部１０４から受け取った時刻をアラーム時刻に設定する。
【００２５】
経路検索部１０２には、携帯電話１の出荷時に、経路探索のソフトウェアが予め組み込まれている。一方、ユーザが好みの市販経路検索アプリケーションをインストール可能なように、経路検索部１０２を構成することもできる。
【００２６】
整時部１０７は、制御部１０４から受け取った時刻で携帯電話の時計を整時する。制御部１０４は、読み取り部１０５がＩＣチップ１０１から読み取った乗車駅や行き先駅、改札時刻等の情報を受信し、整時部１０７への整時指示や経路検索部１０２への経路検索指示、経路検索結果を基にしたアラーム時刻の決定、アラーム設定部１０３へのアラーム時刻設定指示を行う。
【００２７】
アラーム設定方式管理部１０６は、経路検索部１０２の経路検索結果が複数の場合、制御部１０４が自動的に１つを選択する方式（自動選択方式）と、ディスプレイ１０８に表示し、ユーザが選択する方式（ユーザ選択方式）のどちらを採用するか管理する。
【００２８】
以上のように構成された自動改札用ＩＣチップ内蔵携帯電話について、その動作を説明する。
【００２９】
まず、自動改札機を通過し、入駅する際、自動改札用ＩＣチップ内蔵携帯電話を自動改札機２にかざすことにより、ＩＣチップ１０１に改札時刻が書き込まれる。読み取り部１０５は、ＩＣチップ１０１から乗車駅、行き先駅、改札時刻等の情報を読み取り、制御部１０４に送信する。
【００３０】
制御部１０４は、読み取り部１０５から受信した改札時刻を整時部１０７に送信し、整時部１０７は、受信した改札時刻により携帯電話の時刻を整時する。携帯電話の整時が不要な場合は、設定により、この処理をスキップすることができる。
【００３１】
制御部１０４は、読み取り部１０５から受信した乗車駅、行き先駅、改札時刻等の情報を経路検索部１０２に送信し、駅経路検索指示を行う。経路検索部１０２は、制御部１０４から受信した乗車駅、行き先駅、改札時刻等の情報を基に、経路検索を実行し、経路検索結果を制御部１０４に送信する。
【００３２】
アラーム設定方式管理部１０６には、経路検索結果が複数存在する場合、制御部１０４が複数の経路検索結果から自動的に１つを選択し、その到着時刻を基にアラーム時刻を決定する自動選択方式と、経路検索結果をディスプレイ１０８に表示し、その中からユーザが選択した経路の到着時刻を基にアラーム時刻を決定するユーザ選択方式とのいずれを選択するかが、あらかじめ設定されている。もちろんユーザ自身により、いずれの選択方式を選ぶかを設定することができる。
【００３３】
アラーム設定方式管理部１０６に自動選択方式が設定されている場合、制御部１０４は、経路検索部１０２から受信した経路検索結果から１つの経路を選択し、その到着時刻を基にアラーム時刻を決定する。アラーム設定方式管理部１０６にユーザ選択方式が設定されている場合、制御部１０４は、経路検索部１０２から受信した経路検索結果をディスプレイ１０８に表示し、その中からユーザが選択した経路の到着時刻を基にアラーム時刻を決定する。制御部１０４は決定したアラーム時刻をアラーム設定部１０３に送信し、アラーム設定部１０３は、アラーム時刻を設定する。
【００３４】
以上のように、本発明の実施形態の自動改札用ＩＣチップ内蔵携帯電話１は、駅の自動改札機を通過するための非接触ＩＣチップ１０１を内蔵し、更に経路検索部１０２とアラーム設定部１０３を備える。そして、携帯電話１の制御部１０４は、ユーザが自動改札機２に携帯電話をかざし、入駅する際、前記ＩＣチップ１０１に書き込まれた改札時刻と、既に書き込まれている行き先場所情報を基に、前記経路検索部１０２により行き先場所到着時刻を計算し、アラーム設定部１０３によりアラーム時刻設定を行う。従って、ユーザが、自ら行き先駅への到着時刻を予測し、携帯電話のアラーム時刻を手動で設定しなくても、適切な時刻を間違いなく、携帯電話のアラーム時刻に設定することができる。また、アラーム時刻の設定を、自動改札機を通過し、入駅した際、前記駅経路検索手段により検索されたいくつかの経路から自動的に選択された経路の到着時刻を基に、自動的に設定される方法と、検索されたいくつかの経路をディスプレイ１０８に表示し、その中からユーザが選択した経路の到着時刻を基に設定される方法のどちらかにより行うことで、行き先駅まで複数の経路が存在する場合も、利用する経路に応じて、自分で到着時刻を予測し、携帯電話のアラーム時刻を手動で設定しなくても、自動改札機を通過し、入駅した際に、ディスプレイ１０８に表示されるいくつかの経路から選択した経路の到着時刻を基に、アラーム時刻を自動的に設定することができる。さらに、自動改札機に携帯電話をかざし、入駅する際、前記ＩＣチップに書き込まれた改札時刻により携帯電話の時計を整時することで、時刻設定の操作の手間を省くことができる。
【００３５】
なお、以上の説明では、自動改札用ＩＣチップ内蔵携帯電話は、自動改札機を通過する際に、アラーム時刻が設定されるという構成を有する。しかしながら、通常のＩＣチップ内蔵携帯電話を、普通列車グリーン車車内改札用リーダライタによるグリーン券の車内改札に応用しても同様の効果が得られるものである。
【００３６】
また、以上の説明では、本発明をＩＣチップ内蔵携帯電話に応用した例を示したが、本発明は他の携帯端末にも応用可能である。他の携帯端末には、ＰＨＳ、ＰＤＡ、データ通信カード、ポケットベル、携帯テレビ、携帯ラジオ、カメラ、ビデオカメラ、時計、パーソナルコンピュータ、電卓、電子手帳、電子辞書、ゲーム機、プリンタ、電気かみそり、無線操縦玩具、等、種々の携帯可能な電子機器総てが含まれ得る。
【００３７】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００３８】
以上のように本発明は、自分で行き先駅への到着時刻を予測し、携帯端末のアラーム時刻を手動で設定しなくても、正確な時刻をアラーム時刻として設定することができる、ＩＣチップ内蔵携帯端末を提供する。
【図面の簡単な説明】
【００３９】
【図１】本発明の実施形態である自動改札用ＩＣチップ内蔵携帯電話のブロック図
【符号の説明】
【００４０】
１      自動改札用ＩＣチップ内蔵携帯電話
２      自動改札機
１０１  ＩＣチップ
１０２  経路検索部
１０３  アラーム設定部
１０４  制御部
１０５  読み取り部
１０６  アラーム設定方式管理部
１０７  整時部
１０８  ディスプレイ
【図１】
2006262297.tif 000003